(57)【特許請求の範囲】
【請求項１】
第１の電気回路と、該第１の電気回路に対して独立に設けた第２の電気回路と、前記第１及び第２の電気回路間を接続するフレキシブルリードシートと、前記第１の電気回路が設置された第１の支持体と、前記第２の電気回路が設置された第２の支持体とを具え、前記フレキシブルリードシートには、前記第１及び第２電気回路との接続点の間に、開口が形成され、前記第１及び第２の支持体は、各支持体の端部に形成した舌片を互いに接合して組み立てられ、互いに接合された一対の舌片の内、少なくとも一方の舌片が、前記フレキシブルリードシートの開口から突出していることを特徴とする電気的接続構造。
【請求項２】
前面シャーシ(31)と背面シャーシ(32)から構成される筐体(３)の前面に、入力操作のためのタッチパネル(４)が取り付けられ、該タッチパネル(４)は、筐体(３)の内部に設置された回路基板(５)に電気的に接続されている入力装置において、
筐体(３)を構成する前面シャーシ(31)と背面シャーシ(32)は、１或いは複数箇所に設けられた接合部にて互いに接合されており、タッチパネル(４)は、パネル本体(48)と、パネル本体(48)から引き出された１或いは複数のフレキシブルリードシート(41)(42)とを具え、該フレキシブルリードシート(41)(42)は、前面シャーシ(31)と背面シャーシ(32)の間に形成された隙間を通過して、その先端部が筐体(３)内の回路基板(５)に接続され、少なくとも１つのフレキシブルリードシート(41)には、筐体(３)の１或いは複数の接合部と対応する位置に、該接合部を貫通させる１或いは複数の開口(45)(45)が形成されていることを特徴とする入力装置。
【請求項３】
前面が開口したケーシング(１)の内部に、タッチパネルアセンブリ(２)が収容され、該タッチパネルアセンブリ(２)は、回路基板(５)及び表示パネル(６)を内蔵した筐体(３)の前面にタッチパネル(４)を取り付けて構成され、筐体(３)は、それぞれ板金製の前面シャーシ(31)と背面シャーシ(32)を互いに係合させて構成され、前面シャーシ(31)には窓(37)が開設され、該窓(37)から表示パネル(６)の表示面が露出している入力装置において、
筐体(３)の前面シャーシ(31)には複数の舌片(34)(34)が突設されると共に、該舌片(34)(34)に対応させて、背面シャーシ(32)には複数の舌片(35)(35)が突設され、両シャーシ(31)(32)の対応する舌片(34)(35)どうしが互いに接合され、タッチパネル(４)は、矩形のパネル本体(48)を具え、パネル本体(48)の上部又は下部には、垂直方向にリードパターンを引き出すフレキシブルリードシート(41)が突設されると共に、パネル本体(48)の一方の側部には、水平方向にリードパターンを引き出すフレキシブルリードシート(42)が突設され、各フレキシブルリードシート(41)(42)は、筐体(３)の前面シャーシ(31)の背面側へ伸びて、その先端部が回路基板(５)上のコネクター(52)(53)に連結され、少なくとも一方のフレキシブルリードシート(41)には、前面シャーシ(31)に突設された複数の舌片(34)(34)を臨出させるための複数の開口(45)(45)が形成されていることを特徴とする入力装置。
【請求項４】
筐体(３)の前面シャーシ(31)と背面シャーシ(32)は、何れか一方の側部で、垂直方向に伸びる枢軸を具えたヒンジ機構(33)(33)により互いに連結され、該ヒンジ機構(33)(33)の枢軸を中心として開閉可能である請求項２又は請求項３に記載の入力装置。
【発明の詳細な説明】
【０００１】
【発明の属する技術分野】
本発明は、各種電子機器における電気的接続構造、並びに該電気的接続構造を具えた入力装置に関するものである。
【０００２】
【従来の技術】
従来、例えば図８に示す如く前面ケース(81)と背面ケース(82)からなる樹脂製のケーシング(８)を具え、該ケーシング(８)の前面に、タッチ操作面(80)を設けた入力装置が知られている。
図９に示す如く、前面ケース(81)には窓(83)が開設され、背面ケース(82)には開口(84)が形成されて、両ケース(81)(82)の間に形成される空間に、タッチパネルアセンブリ(20)が収容されている。
【０００３】
タッチパネルアセンブリ(20)は図１０に示す如く、回路基板(５)及び表示パネル(６)を内蔵した筐体(７)の前面に、タッチパネル(９)を取り付けて構成される。筐体(７)は、それぞれ板金製の前面シャーシ(71)と背面シャーシ(72)とを互いに組み合わせて構成され、前面シャーシ(71)には窓(75)が開設され、該窓(75)から液晶表示パネル(６)の表示面が露出している。
又、回路基板(５)には、複数の電子部品(51)やコネクター(53)(53)(52)が配備されている。
【０００４】
タッチパネル(９)は、矩形のパネル本体(95)を具え、パネル本体(95)の下部には、垂直方向にリードパターンを引き出すフレキシブルリードシート(91)が突設されると共に、パネル本体(95)の一方の側部には、水平方向にリードパターンを引き出すフレキシブルリードシート(92)が突設され、各フレキシブルリードシート(91)(92)は、筐体(７)の前面シャーシ(71)の背面側へ伸びて、その先端部(93)(93)(94)が回路基板(５)上のコネクター(53)(53)(52)に連結されている。
【０００５】
尚、筐体(７)の前面シャーシ(71)と背面シャーシ(72)とを一体化するために、例えば背面シャーシ(72)の下辺部には、一対の舌片(73)(73)が下向きに突設される一方、該舌片(73)(73)に対応させて、背面シャーシ(72)の下辺部には、一対の舌片(図示省略)が下向きに突設され、対応する舌片どうしが互いに接合されて、ビス(74)によって締結されている。
ここで、背面シャーシ(72)の下辺部に突設された一対の舌片(73)(73)は、その間にフレキシブルリードシート(91)を通す隙間を形成するために、フレキシブルリードシート(91)の幅よりも大きな間隔Ｗ′で配置されていた。
【０００６】
【発明が解決しようとする課題】
しかしながら、タッチパネルなどの一方の電気回路と、これらを駆動制御する他方の電気回路とを接続するフレキシブルリードシートは、上記両電気回路の側面より突出するので、機器が大きくなるという問題があった。
また、上記従来技術に記載した入力装置においては、シャーシ(71)(72)を互いに接合するための２つの舌片(73)(73)が、垂直方向に引き出されたフレキシブルリードシート(91)との干渉を回避するためにフレキシブルリードシート(91)よりも外側の位置に突設されていたから、筐体(７)の横幅が、フレキシブルリードシート(91)の横幅Ｗ′よりも更に２つの舌片の横幅だけ大きくならざるを得ず、この結果、筐体(７)のタッチ操作面(80)の周囲には、大きな面積の額縁部分が形成されて、装置が大型化する問題があった。
特に、筐体の小型化を図った電子機器において、タッチ操作面の大形化を図る場合、タッチパネル操作面の大形化に伴ってフレキシブルリードシートの横幅も大きくなるので、筐体の小型化とタッチパネル操作面の大形化の両方を実現することが困難となる。
【０００７】
本発明の目的は、各種電子機器において、機器の小型化が可能となる電気接続構造を提供することである。
又、本発明の目的は、タッチパネルを具えた入力装置において、タッチ操作面の周囲に形成される額縁部分の面積を可及的に縮小して、筐体の小型化を図ることである。
【０００８】
【課題を解決する為の手段】
本発明に係る電子機器の電気的接続構造は、第１の電気回路と、該第１の電気回路に対して独立に設けた第２の電気回路と、前記第１及び第２の電気回路間を接続するフレキシブルリードシートと、前記第１の電気回路が設置された第１の支持体と、前記第２の電気回路が設置された第２の支持体とを具え、前記フレキシブルリードシートには、前記第１及び第２電気回路との接続点の間に、開口が形成され、前記第１及び第２の支持体は、各支持体の端部に形成した舌片を互いに接合して組み立てられ、互いに接合された一対の舌片の内、少なくとも一方の舌片が、前記フレキシブルリードシートの開口から突出している。
尚、第１の電気回路はタッチパネルによって、第２の電気回路はタッチパネルを制御する回路基板によって構成することが出来る。
【０００９】
上記本発明の電気的接続構造においては、フレキシブルリードシートに形成した開口によって、互いに接合された一対の舌片と、フレキシブルリードシートとの間の干渉が回避されているので、第１及び第２支持体の外形を小さく形成することが可能であり、これによって、機器の小型化が実現される。
【００１０】
又、本発明に係る入力装置においては、第１部材である前面シャーシ(31)と、第２部材である背面シャーシ(32)とから構成される筐体(３)の前面に、入力操作のためのタッチパネル(４)が取り付けられ、該タッチパネル(４)は、筐体(３)の内部に設置された回路基板(５)に電気的に接続されている。
ここで、筐体(３)を構成する前面シャーシ(31)と背面シャーシ(32)は、複数箇所に設けられた接合部にて互いに接合されており、タッチパネル(４)は、矩形のパネル本体(48)と、パネル本体(48)から異なる２方向に引き出された一対のフレキシブルリードシート(41)(42)とを具え、各フレキシブルリードシート(41)(42)は、筐体(３)の前面シャーシ(31)と背面シャーシ(32)の間に形成された隙間を通過して、その先端部が筐体(３)内の回路基板(５)に接続され、少なくとも一方のフレキシブルリードシート(41)には、筐体(３)の１或いは複数の接合部と対応する位置に、該接合部を貫通させる１或いは複数の開口(45)(45)が形成されている。
【００１１】
上記本発明の入力装置においては、少なくとも一方のフレキシブルリードシート(41)に形成された１或いは複数の開口(45)(45)を貫通して、両シャーシ(31)(32)を接合するための１或いは複数の接合部が設けられ、該開口(45)(45)によって、フレキシブルリードシート(41)とシャーシ接合部との間の干渉が回避されている。
従って、筐体(３)は、タッチパネル(４)のパネル本体(48)の大きさよりも僅かに大きく形成することが可能となり、これによって、タッチ操作面(10)の周囲に形成される額縁部分の面積が縮小され、装置の小型化が図られることになる。
特に、タッチ操作面(10)の大形化を図る場合、これに伴ってフレキシブルリードシート(91)の横幅も大きくなるが、前述の開口(45)(45)による干渉の回避によって、タッチ操作面(10)の周囲に形成される額縁部分を可及的に縮小することが出来るので、装置の大型化を抑制することが可能である。
【００１２】
尚、筐体(３)の前面シャーシ(31)に複数の舌片(34)(34)が突設されると共に、該舌片(34)(34)に対応させて、背面シャーシ(32)には複数の舌片(35)(35)が突設され、両シャーシ(31)(32)の対応する舌片(34)(35)どうしが互いに接合されている入力装置においては、前面シャーシ(31)に突設された複数の舌片(34)(34)を臨出させるための複数の開口(45)(45)が、少なくとも一方のフレキシブルリードシート(41)に形成される。
【００１３】
具体的構成において、筐体(３)の前面シャーシ(31)と背面シャーシ(32)は、何れか一方の側部で、垂直方向に伸びる枢軸を具えたヒンジ機構(33)(33)により互いに連結され、該ヒンジ機構(33)(33)の枢軸を中心として開閉可能である。
【００１４】
該具体的構成によれば、例えば筐体(３)の内部に設置された液晶表示パネル(６)のバックライトを交換する等のメンテナンスにおいて、ケーシング(１)から取り出した筐体(３)の前面シャーシ(31)と背面シャーシ(32)を開いて作業を行なうことが出来、この際、前面シャーシ(31)と背面シャーシ(32)とはヒンジ機構(33)(33)によって互いに連結されたままであり、大きく離間することはないから、両シャーシ(31)(32)に跨った配線が切断される虞れはない。
【００１５】
【発明の効果】
本発明に係る電気接続構造によれば、電子機器の小型化が可能となる。
又、本発明に係る入力装置によれば、タッチ操作面の周囲に形成される額縁部分の面積を可及的に縮小して、筐体の小型化を図ることが出来る。
【００１６】
【発明の実施の形態】
以下、本発明の実施の形態につき、図面に沿って具体的に説明する。
本発明に係る入力装置は、図１に示す如く、前面ケース(11)と背面ケース(12)からなる樹脂製のケーシング(１)を具え、該ケーシング(１)の前面に、タッチ操作面(10)が設けられている。
図２に示す如く、前面ケース(11)には窓(13)が開設され、背面ケース(12)には開口(14)が形成されており、両ケース(11)(12)の間に形成される空間に、タッチパネルアセンブリ(２)が収容されている。
【００１７】
タッチパネルアセンブリ(２)は、前面シャーシ(31)と背面シャーシ(32)からなる筐体(３)の前面に、タッチパネル(４)を配備して構成されている。
筐体(３)の内部には、図５に示す如く回路基板(５)と液晶表示パネル(６)が配備され、液晶表示パネル(６)の表示面が前面シャーシ(31)の窓(37)から露出している。回路基板(５)には、複数の電子部品(51)やコネクター(53)(53)(52)が配備されている。
【００１８】
筐体(３)の前面シャーシ(31)と背面シャーシ(32)とは、一方の側部にて一対のヒンジ機構(33)(33)によって互いに連結されており、該ヒンジ機構(33)(33)の枢軸を中心として、両シャーシ(31)(32)は０°〜約２００°の角度範囲で開閉が可能である。
【００１９】
又、前面シャーシ(31)の下辺部には、一対の舌片(34)(34)が所定の間隔で突設されると共に、これらの舌片(34)(34)に対応させて、背面シャーシ(32)の下辺部には、一対の舌片(35)(35)が所定の間隔で突設されている。図７の如く前面シャーシ(31)と背面シャーシ(32)とを閉じた状態で、両シャーシ(31)(32)の対応する舌片(34)(35)どうしが互いに接合され、ビス(36)によって締結される。
【００２０】
タッチパネル(４)は、図４に示す如く矩形のパネル本体(48)を具えている。パネル本体(48)の下部には、垂直方向にリードパターン(46)を引き出すフレキシブルリードシート(41)が突設され、該フレキシブルリードシート(41)は逆Ｌ字状に屈曲して、その先端部が二股に分かれて帯状の連結部(43)(43)を形成している。又、パネル本体(48)の左方の側部には、水平方向にリードパターン(47)を引き出すフレキシブルリードシート(42)が突設され、各フレキシブルリードシート(41)(42)は、幅が狭められて左方へ突出し、その先端部が帯状の連結部(44)を形成している。
【００２１】
下向きに突出するフレキシブルリードシート(41)には、一対の開口(45)(45)が所定の間隔で形成されており、図５に示す様に、筐体(３)の前面シャーシ(31)に突設した一対の舌片(34)(34)と対応している。
尚、図４に鎖線で示す様に、該フレキシブルリードシート(41)のリードパターン(46)は、開口(45)(45)を迂回したパターンに形成されている。
【００２２】
タッチパネル(４)のパネル本体(48)から下向きに突出するフレキシブルリードシート(41)は、図６の如く前面シャーシ(31)の背面側へ折り曲げられ、連結部(43)(43)が回路基板(５)上のコネクター(53)(53)に連結されている。この様にタッチパネル(４)のフレキシブルリードシート(41)を折り曲げることによって、前面シャーシ(31)に突設された各舌片(34)が、該フレキシブルリードシート(41)の各開口(45)から臨出することになる。
又、パネル本体(48)から横向きに突出するフレキシブルリードシート(41)は、図５の如く一対のヒンジ機構(33)(33)の間の隙間を貫通して、タッチパネル(４)の背面側へ伸び、連結部(44)がコネクター(52)へ連結されている(図６参照)。
【００２３】
上記入力装置においては、タッチパネル(４)のパネル本体(48)から２方向にフレキシブルリードシート(41)(42)のリードパターン(46)(47)が引き出されているから、２つのリードパターンを一方向に引き出した従来のタッチパネルに比べて、パネル本体(48)上におけるリードパターンの引き回し面積を狭小化することが出来、これによってパネル本体(48)の表示領域を拡大することが出来る。
【００２４】
然も、タッチパネル(４)のフレキシブルリードシート(41)に、前面シャーシ(31)に突設された２つの舌片(34)(34)を貫通させるための開口(45)(45)が形成されて、フレキシブルリードシート(41)と舌片(34)(34)との干渉が回避されているので、前面シャーシ(31)及び背面シャーシ(32)の外形は、タッチパネル(４)のパネル本体(48)よりも僅かに大きく形成することが可能である。これによって、タッチ操作面(10)の周囲に形成される額縁部分の面積が縮小されて、装置の小型化が図られている。
【００２５】
又、上記入力装置においては、図７に示す如く筐体(３)の前面シャーシ(31)と背面シャーシ(32)を閉じることによって、前面シャーシ(31)の一対の舌片(34)(34)と背面シャーシ(32)の一対の舌片(35)(35)とが互いに接合され、これらの舌片は、前面シャーシ(31)と背面シャーシ(32)の間に形成される隙間を分断することになる。
ここで、タッチパネル(４)のフレキシブルリードシート(41)に開設すべき開口(45)(45)の間隔を狭めることは可能であるから、これによって、一対の舌片(34)(34)及び(35)(35)の間隔Ｗも狭めることが出来る。
従って、舌片による分断の結果、両シャーシ(31)(32)間に形成される隙間の幅は充分に小さくなり、電磁波に対して高いシールド効果を得ることが出来る。
【００２６】
更に、上記入力装置においては、筐体(３)の前面シャーシ(31)と背面シャーシ(32)とを図５の如く開くことよって、前面シャーシ(31)の内面に取り付けられた液晶表示パネル(６)と、背面シャーシ(32)の内面に取り付けられた回路基板(５)とが完全に露出することになる。従って、液晶表示パネル(６)のバックライトの交換などのメンテナンスを、容易に行なうことが出来る。
【００２７】
尚、本発明の各部構成は上記実施の形態に限らず、特許請求の範囲に記載の技術的範囲内で種々の変形が可能である。例えば、筐体(３)の各シャーシ(31)(32)に突設すべき舌片の数は２個に限らず、３個以上の舌片を突設することも可能であり、これに応じて、タッチパネル(４)のフレキシブルリードシート(41)にも３個以上の開口を形成すればよい。
又、本発明は、上述の如き入力装置にのみならず、各種電子機器の電気接続構造に実施することが可能である。
【図面の簡単な説明】
【図１】本発明に係る入力装置の外観を示す斜視図である。
【図２】該入力装置の分解斜視図である。
【図３】タッチパネルアセンブリの分解斜視図である。
【図４】タッチパネルの平面図である。
【図５】筐体の前面シャーシと背面シャーシを開いた状態の斜視図である。
【図６】タッチパネルのフレキシブルリードシートを回路基板上のコネクターに連結した状態の斜視図である。
【図７】筐体の前面シャーシと背面シャーシを閉じた状態の斜視図である。
【図８】従来の入力装置の外観を示す斜視図である。
【図９】該入力装置の分解斜視図である。
【図１０】該入力装置に装備されているタッチパネルアセンブリの分解斜視図である。
【符号の説明】
(１)  ケーシング
(11)  前面ケース
(12)  背面ケース
(２)  タッチパネルアセンブリ
(３)  筐体
(31)  前面シャーシ
(32)  背面シャーシ
(33)  ヒンジ機構
(34)  舌片
(35)  舌片
(４)  タッチパネル
(41)  フレキシブルリードシート
(45)  開口
(５)  回路基板
(６)  液晶表示パネル
【図１】
0003737326.tif 000002
【図２】
0003737326.tif 000003
【図３】
0003737326.tif 000004
【図４】
0003737326.tif 000005
【図５】
0003737326.tif 000006
【図６】
0003737326.tif 000007
【図７】
0003737326.tif 000008
【図８】
0003737326.tif 000009
【図９】
0003737326.tif 000010
【図１０】
0003737326.tif 000011